(57)【要約】【課題】複数の目的に使用できると共に、同時に複数の目的に使用でき、しかもコンパクトにして持ち運び、保管を容易にできる薬剤放散用容器とする。【解決手段】吸込口１０、吐出口１１、薬剤取付部１２を有した本体１４に送風機１５を設けた第１送風体１と、吸込口２０、吐出口２１、薬剤取付部２２を有した本体２４に送風機２５を設けた第２送風体２を、その本体１４，２４が重ね合わせられた重ね合わせ状態と、各本体１４，２４の空気流通路が独立した離隔状態に回動自在に連結する。【選択図】図４
2009082115.tif 000002
【特許請求の範囲】
【請求項１】
吸込口１０と吐出口１１と薬剤取付部１２と連結部１３を有した本体１４と、この本体１４に設けた送風機１５を備えた第１送風体１と、
吸込口２０と吐出口２１と薬剤取付部２２と連結部２３を有した本体２４と、この本体２４に設けた送風機２５を備えた第２送風体２を備え、
前記第１送風体１の連結部１３と第２送風体２の連結部２３を連結手段３で、第１送風体１と第２送風体２が重なり合う重ね合わせ状態と、前記第１送風体１と第２送風体２が離れて各空気流通路が独立した離隔状態とに移動可能に連結したことを特徴とする薬剤放散用容器。
【請求項２】
第１送風体１の本体１４に電源室１６を設け、この電源室１６に設けた電源によって第１・第２送風体１，２の送風機１５，２５をそれぞれ駆動するようにした請求項１記載の薬剤放散用容器。
【請求項３】
前述の請求項１の薬剤放散用容器と、その第１・第２送風体１，２の薬剤取付部１２，２２のいずれか一方に選択的に取付け可能な第１・第２の薬剤４，５より成る薬剤放散装置。
【請求項４】
前述の請求項１の薬剤放散用容器と、その第１・第２送風体１，２の薬剤取付部１２，２２に取付けた第１・第２の薬剤４，５より成る薬剤放散装置。
【発明の詳細な説明】
【技術分野】
【０００１】
本発明は、薬剤を含有する空気を大気に放出するための薬剤放散用容器及び、その薬剤放散用容器を用いた薬剤放散装置に関する。
【背景技術】
【０００２】
従来から、吸込口と吐出口と薬剤取付部を有すると共に、送風機を備えた薬剤放散用容器に、薬剤を取付け、送風機を駆動することで薬剤に空気を触れることで薬剤を含有する空気とし、その空気を大気に放出するようにした薬剤放散装置が種々提案されている。
この薬剤放散装置は、快適な居住空間を得るための害虫の防除、悪臭の消臭や安らぎの香り、防菌や防黴、などのいろいろな目的として使用される。
【０００３】
前述の目的のために薬剤放散装置の使用場面として、ダイニングキッチン室、寝室、子供室、浴室、トイレ、などの居間空間、その他玄関、物置、ペット、等の空間、また、押入れ、衣装室、食材や調理用具などの収納室、などと様々である。
また、キッチンセット、冷蔵庫、家具、などを設置してできる隙間、台所や浴室などの排水管、などの局所空間などもある。
そして、その空間は、大中小などの広さや局所空間の奥行き、入口の大きさ、などが異なることがある。
さらに、一般家庭の他に、販売店、食堂、旅館、病院、乗り物、などでも使用されることがある。
【０００４】
前述したように、薬剤放散装置は複数の目的のために使用されると共に、様々な場面で使用されるので、１台の薬剤放散装置で複数の目的に使用できること、同時に複数の目的に使用できること、様々な場面で使用できること、を満足した薬剤放散装置とすることが好ましい。
【０００５】
例えば、薬剤放散用容器の薬剤取付部に、いろいろな目的に供する異なる種類の薬剤のいずれか１つを選択的に取付けて１台の薬剤放散装置で複数の目的に使用することが考えられる。
しかし、このようにすると、それぞれの目的で使用した薬剤による薬剤取付部や空気流通路への付着物が混在する問題がある。例えば、特に有毒イメージの害虫を対象とする害虫防除剤を使用した後、無毒イメージの人間を対象とする芳香剤などを使用する場合、害虫防除剤付着物が混在することはあってはならない問題である。
【０００６】
また、同時に複数の目的に使用することができる薬剤放散装置が特許文献１に開示されている。
この薬剤放散装置は、送風機を備えた本体の吸込口と吐出口とに薬剤取付部をそれぞれ設け、送風機を駆動することで各々の薬剤取付部に取付けた薬剤を大気に放散するようにしてある。
【０００７】
【特許文献１】特開２００３−３０４７９１号公報
【発明の開示】
【発明が解決しようとする課題】
【０００８】
前述の従来の薬剤放散装置は、装置本体に２つの薬剤取付部を有しているから、装置本体が大型化し、持ち運びが困難であり、いろいろな場所で複数の目的に使用するために持ち運びすることが多いので、大変不便である。
【０００９】
また、吸込口及び吐出口の各薬剤取付部に、目的の違う異なる種類の薬剤（薬剤保持体）を取付けて使用することは、吸込み気流や吐出し気流の空気の流通を妨げる問題がある。例えば、吸込口に取付けた薬剤は、その薬剤の外気への放出（速度、距離）を吐出口に取付けた薬剤が妨げる。また、吐出口に取付けた薬剤は、その薬剤に触れる風力を吸込口に取付けた薬剤が妨げる。
【００１０】
本発明の目的は、複数の目的に使用できること、同時に複数の目的に使用できること、コンパクトにして持ち運び、保管等が容易であること、を満足した薬剤放散装置とすることができる薬剤放散用容器及び、その薬剤放散用容器を用いた薬剤放散装置とすることである。
【課題を解決するための手段】
【００１１】
本発明の薬剤放散用容器は、吸込口１０と吐出口１１と薬剤取付部１２と連結部１３を有した本体１４と、この本体１４に設けた送風機１５を備えた第１送風体１と、
吸込口２０と吐出口２１と薬剤取付部２２と連結部２３を有した本体２４と、この本体２４に設けた送風機２５を備えた第２送風体２を備え、
前記第１送風体１の連結部１３と第２送風体２の連結部２３を連結手段３で、第１送風体１と第２送風体２が重なり合う重ね合わせ状態と、前記第１送風体１と第２送風体２が離れて各空気流通路が独立した離隔状態とに移動可能に連結したことを特徴とする薬剤放散用容器である。
【００１２】
本発明の薬剤放散用容器においては、第１送風体１の本体１４に電源室１６を設け、この電源室１６に設けた電源によって第１・第２送風体１，２の送風機１５，２５をそれぞれ駆動するようにできる。
【００１３】
このようにすれば、第１送風体１にのみ電源室１６を設ければ良く、コンパクトにできる。
【００１４】
本発明の薬剤放散装置は、前述の本発明の薬剤放散用容器と、その第１・第２送風体１，２の薬剤取付部１２，２２のいずれか一方に選択的に取付け可能な第１・第２の薬剤４，５より成る薬剤放散装置である。
【００１５】
本発明の薬剤放散装置は、前述の本発明の薬剤放散用容器と、その第１・第２送風体１，２の薬剤取付部１２，２２に取付けた第１・第２の薬剤４，５より成る薬剤放散装置とすることもできる。
【発明の効果】
【００１６】
本発明の薬剤放散用容器によれば、第１・第２送風体１，２を離隔状態とし、いずれか一方の薬剤取付部１２，２２に目的の異なる薬剤を取付けて薬剤を大気に放散できるから、複数の目的に使用できる。
また、第１・第２送風体１，２の薬剤取付部１２，２２に目的の異なる薬剤をそれぞれ取付けて薬剤をそれぞれ大気に放散できるから、同時に複数の目的に使用できる。
また、第１・第２送風体１，２を重ね合わせ状態とすれば、コンパクトになるから、持ち運び、保管等が容易である。
【００１７】
しかも、第１送風体１と第２送風体２を離隔状態とすることで、各空気流通路は独立するし、その各空気流通路はそれぞれ送風機を備えているから、複数の目的に使用する時に第１・第２送風体１，２の一方の空気流通路に他方の空気流通路を流れる薬剤が付着することがなく、複数の目的を十分に達成できる。
また、同時に複数の目的に使用する時に、一方の薬剤が他方の薬剤への空気流通の妨げになることがなく、各薬剤を十分に大気に放散できる。
【発明を実施するための最良の形態】
【００１８】
本発明の実施の形態を図１〜図４に基づいて説明する。
本発明の薬剤放散用容器は、第１送風体１と第２送風体２を備えている。
前記第１送風体１は、吸込口１０と吐出口１１と薬剤取付部１２と連結部１３を有した本体１４と、その本体１４に設けた送風機１５を備え、その送風機１５を駆動することで吸込口１０から空気を吸い込み、その空気を吐出口１１から大気に放出する。
前記第２送風体２も同様に、吸込口２０、吐出口２１、薬剤取付部２２、連結部２３を有した本体２４と、送風機２５を備え、その送風機２５を駆動することで吸込口２０から空気を吸い込み、吐出口２１から大気に放出する。
【００１９】
前記第１送風体１と第２送風体２は、その連結部１３，２３を連結手段３で回動自在に連結され、第１送風体１と第２送風体２を図１、図２に示す重ね合わせ状態と、図３、図４に示す離隔状態にできるようにしてある。
【００２０】
前記第１送風体１と第２送風体２を図３、図４に示すように離隔状態とすれば、第１送風体１の矢印ａ，ｂで示す空気流通路と第２送風体２の矢印ｃ，ｄで示す空気流通路とは独立し、それぞれ干渉しないようにしてある。
したがって、図５（ａ）に示すように第１送風体１の薬剤取付部１２に第１の薬剤４を取付けた薬剤放散装置とし、送風機１５を駆動することで第１の薬剤４に空気が触れて第１の薬剤４を含有する空気とし、その空気を吐出口１１から大気に放出して第１の薬剤４を大気に放散できる。
この第１の薬剤４を含有した空気は第２送風体２の空気流通路を流れることがないから、その空気流通路に第１の薬剤４が付着することがない。
【００２１】
また、図６（ａ）に示すように第２送風体２の薬剤取付部２２に第２の薬剤５を取付けた薬剤放散装置とし、送風機２５を駆動することで、前述と同様に第２の薬剤５を含有した空気を吐出口２１から大気に放出して第２の薬剤５を大気に放散できる。
しかも、この第２の薬剤５を含有した空気は第１送風体１の空気流通路を流れることがないから、その空気流通路に第２の薬剤５が付着することがない。
【００２２】
このようであるから、第１送風体１の薬剤取付部１２と第２送風体２の薬剤取付部２２のいずれか一方に異なる薬剤を選択的に取付けることで、複数の目的に使用できる。
しかも、それぞれの目的で使用した薬剤による薬剤取付部１２，２２や空気流通路への付着物が混在することがなく、安全かつ効率的に使用できる。
【００２３】
例えば、第１送風体１の薬剤取付部１２に害虫防除を目的とする薬剤（害虫防除剤）を取付けて害虫防除し、第２送風体２の薬剤取付部２２に芳香を目的とする薬剤（芳香剤）を取付けて香りづけをすることができるし、芳香を目的とする薬剤を使用する時には害虫防除する薬剤が混在することがない。
【００２４】
また、図７（ａ）に示すように第１送風体１の薬剤取付部１２に第１の薬剤４を取付けると共に、第２送風体２の薬剤取付部２２に第２の薬剤５を取付けた薬剤放散装置とし、各送風機１５，２５を駆動することで、第１の薬剤４と第２の薬剤５を同時に大気に放散できるから、同時に複数の目的に使用できる。
しかも、第１送風体１、第２送風体２はそれぞれ独立した空気流通路を有しているから、第１・第２の薬剤４，５が空気の流通を妨げることがない。
つまり、第１送風体１の空気流通路の空気の流通を第２の薬剤５が妨げることがないし、第２送風体２の空気流通路の空気の流通を第１の薬剤４が妨げることがない。
【００２５】
また、第１送風体１と第２送風体２を図１、図２に示す重ね合わせ状態とすれば、全体がコンパクトになるから、持ち運びや保管が容易である。
例えば、図５（ｂ）、図６（ｂ）、図７（ｂ）に示すように第１の薬剤４、第２の薬剤５を取付けたままで第１送風体１と第２送風体２を重ね合わせてコンパクトにできる。
【００２６】
次に、各部材の具体形状を説明する。
前記第１送風体１の本体１４は、上面板１４ａと下面板１４ｂと周面板１４ｃで矩形箱形状で、上面板１４ａに吸込口１０が形成されていると共に、周面板１４ｃに吐出口１１が形成され、前記上面板１４ａの吸込口１０の周縁部分が薬剤取付部１２としてある。
この本体１４は電源室１６が一体的に設けてある。この電源室１６内の電源（例えば、電池）で第１・第２送風体１，２の送風機１５，２５を駆動するようにしてある。
この電源室１６は本体１４の上面板１４ａよりも上方に突出し、その上端部分が連結部１３としてある。
【００２７】
前記第２送風体２の本体２４は、上面板２４ａと下面板２４ｂと周面板２４ｃで矩形箱形状で、上面板２４ａに吸込口２０が形成されていると共に、周面板２４ｃに吐出口２１が形成されている。
前記周面板２４ｃには一対の突片２４ｄが一体的に設けてあり、この一対の突片２４ｄが前記電源室１６の上部両面１６ａ（連結部１３）に接し、ピン３ａで上下回動自在に連結している。このピン３ａが連結手段３である。
前記各送風機１５，２５はファン１５ａ，２５ａをモータ１５ｂ，２５ｂで回転するものである。
【００２８】
前記薬剤４，５は、吸込口１０，２０に嵌合するリング体４ａ，５ａに薬剤を含浸した薬剤含浸体４ｂ，５ｂを設けたもので、そのリング体４ａ，５ａを吸込口１０，２０に嵌合して取付けられる。
【００２９】
前記第１送風体１と第２送風体２を重ね合わせ状態とした時に、その吸込口２０が下向きで第１送風体１の吸込口１０と相対向するようにしてある。
これによって、第１・第２送風体１，２を重ね合わせ状態とした時に、第１送風体１の吸込口１０が第２送風体２で覆われると共に、第２送風体２の吸込口２０が第１送風体１で覆われるので、吸込口１０，２０から異物が本体１４，２４の内部に入り込むことがないようにできる。
【００３０】
また、第１・第２送風体１，２を重ね合わせ状態の時に、図２に示すように本体１４の上面板１４ａと本体２４の下向きとなった上面板２４ａとの間（つまり、薬剤取付部１２，２２間）に空間部６が形成されるようにしてある。
例えば、本体１４の上面板１４ａと本体２４の上面板２４ａとに突起１４ｄ，２４ｅを設け、第１・第２送風体１，２を重ね合わせた状態で突起１４ｄ，２４ｅが接して前述の空間部６が形成されるようにする。
【００３１】
このようにすることで、図５（ｂ）、図６（ｂ）、図７（ｂ）に示すように第１・第２送風体１，２を重ね合わせた状態で、薬剤４，５が空間部６内に収容されるようにできる。
【００３２】
前記第１・第２送風体１，２の薬剤取付部１２，２２は図３、図４に示すように離隔状態の時に上方に向かうようにしてあるので、薬剤を取り付けし易いと共に、薬剤の有無を目視確認し易い。
【００３３】
前述の各部材は前述したものに限ることはなく、種々のものとすることができる。
前記第２送風体２を上下反転して第１送風体１に連結し、第１・第２送風体１，２が離隔状態の時には第２送風体２の吸込口２０、薬剤取付部２２が下向きとなり、重ね合わせ状態の時には吸込口２０、薬剤取付部２２が上向きとなるようにする。
前記第１・第２送風体１，２が上向きで電源室１６が設置面に接するようにして使用できる。
【００３４】
前記第２送風体２を第１送風体１の下面側に重なるように回動自在としても良い。
例えば、電源室１６を第１送風体１の本体１４の下面よりも下方に突出し、その下端部に第２送風体２の本体２４の一対の突片２４ｄをピン３ｂで上下回動自在に連結する。
【００３５】
前記第１送風体１の本体１４、第２送風体２の本体２４は矩形状に限ることはなく、円弧面を有する形状、ほぼ三角形状で吐出口部分が幅狭い形状、２つの吐出口を有した形状等、任意の形状とすることができる。
【００３６】
前記薬剤取付部１２，２２を、吸込口１０，２０の周縁に設けた複数のピンとして、薬剤４，５のリング体４ａ，５ａに孔を形成し、その孔をピンに嵌合して取付けるようにしても良い。
また、本体１４，２４の上面板１４ａ，２４ａにおける送風機１５，２５と吐出口１１，２１との間に開口部を形成し、その開口部に薬剤４，５を嵌合して取付けるようにすることで、開口部を薬剤取付部とすることもできる。この場合には送風機１５，２５のファン１５ａ，２５ａをプロペラファンとすることが好ましい。
また、本体１４，２４の内部に板状の薬剤４，５を挿入して設け、その薬剤４，５の外面と本体１４，２４の内面との間に空気が流通するようにして薬剤４，５を本体１４，２４に取付けることができる。
【００３７】
前述のように連結手段３をピン３ａとし、突片２４ｄから電源室１６の側面に嵌合するようにしたが、突片２４ｄに円形突部を設け、電源室１６の側面には円形の凹部と、その凹部と連続した溝部を形成し、円形突部を溝部に沿ってスライドして凹部に嵌まり込むようにして連結手段３とすることもできる。
【００３８】
前述の電源室１６を円筒形状とし、その電源室１６の外周面に沿って第２送風体２を上下回動自在に連結するようにしても良い。
例えば、図８と図９に示すように、第１送風体１の本体１４に円筒形状の電源室１６を設ける。
第２送風体２の本体２４に一対のリング状の連結部２３を設け、このリング状の連結部２３を電源室１６の両端部分の外周面に回動自在に嵌合する。
これによって、電源室１６が連結部１３となると共に、電源室１６と一対のリング状の連結部２３とで連結手段３を形成することになる。
【００３９】
この実施の形態では、第２送風体２の本体２４の下面板２４ｂに吸込口２０が形成され、第１・第２送風体１，２を離隔状態とした時に第１送風体１の吸込口１０が上向きで、第２送風体２の吸込口２０が下向きとなるようにしてある。
【００４０】
前述の実施の形態では、電源室１６の一部分又は全部を連結部１３としたが、連結部１３を電源室１６とは別に本体１４に設けても良い。
例えば、図１０と図１１に示すように、第１送風体１の本体１４の上面板１４ａに一対の立上り片１４ｅを設けて連結部１３とし、この各立上り片１４ｅと第２送風体２の本体２４の突片２４ｄをピン３ａで回動自在に連結する。
この実施の形態においては、第２送風体２の本体２４の周面板２４ｃに一対の矩形状の穴２６を形成して薬剤取付部２２とし、その穴２６に矩形板状の薬剤（第１・第２の薬剤４，５）を挿入して取付けるようにしてある。
そして、送風機２５を駆動することで吸込口２０から吸い込んだ空気が、薬剤４，５と本体２４の内面との間の隙間を通って吐出口２１から大気に放出するようにしてある。
また、第１送風体１の本体１４を仕切り板１４ｆで送風機室１４ｇと電源室１６に区画してある。
【００４１】
なお、第１送風体１の本体１４の立上り片１４ｅを１つとし、第２送風体２の本体２４の一対の突片２４ｄを立上り片１４ｅの両側に位置させ、ピン３ａで上下回動自在に連結しても良い。
【００４２】
また、第１送風体１の本体１４の幅と第２送風体２の本体２４の幅をほぼ同一としたが、どちらか一方の本体の幅を小さくしても良い。
例えば、第２送風体２の本体２４の幅を第１送風体１の本体１４の幅よりも小さくする。
このようにした場合には、図１２に示すように、第１送風体１の本体１４に第２送風体２の本体２４を複数取付けることが可能である。
【００４３】
また、第２送風体２の本体２４に複数の吸込口２０と吐出口２１と薬剤取付部２２をそれぞれ形成して複数の空気流通路を独立して有する形状とし、その各空気流通路に送風機２５をそれぞれ設けるようにしても良い。
このようにすれば、複数の異なる薬剤を第２送風体２に取付けて独立して大気に放散できるので、より多くの目的として使用できる。
【００４４】
例えば、図１３に示すように第２送風体２の本体２４内を仕切壁２４ｆで第１空洞部２４ｇと第２空洞部２４ｈに区画し、それぞれの空洞部に吸込口２０、吐出口２１を形成すると共に、送風機２５をそれぞれ設けて２つの空気流通路を有するものとする。
図１２、図１３に示す実施の形態では本体２４に一対の突片２４ｄを設けたが、この一対の突片２４ｄを設けずに、本体２４の一端部を一対の立上り片１４ｅ間に挿入してピンで連結しても良い。
【００４５】
前述の各実施の形態では、連結手段３をピン３ａとしたが、ヒンジとすることもできる。
例えば、図１４と図１５に示すように、第１送風体１の本体１４の上面板１４ａと第２送風体２の本体２４の上面板２４ａとに跨って一対のヒンジ３ｂを固着して取付け、第１送風体１と第２送風体２を上下回動自在に連結する。
つまり、この場合には上面板１４ａ，２４ａの一部分が連結部１３，２３となる。
【００４６】
前記第１送風体１と第２送風体２を水平面方向に回動自在に連結しても良い。
例えば、図１６〜図１８に示すように、第１送風体１の本体１４の上面板１４ａに縦軸３０を一体的に設けて連結部１３とする。
第２送風体２の本体２４には縦孔３１を有する突起３２を一体的に設け、その突起３２を連結部２３とすると共に、前記縦軸３０と縦孔３１で連結手段３とする。
前記縦孔３１を縦軸３０に嵌合して第２送風体２を縦軸３０の回りに水平面方向に回動自在とし、第１送風体１と第２送風体２を図１７に示す離隔状態と図１８に示す重なり合う状態にできるようにする。
前記縦軸３０の上端面に押えプレート３３をボルト３４で固着して取付け、突起３２が抜けないようにしてある。
【００４７】
この実施の形態では、第１送風体１の本体１４は円弧状面を有し、第２送風体２の本体２４は円形状で、第１・第２送風体１，２を重なり合う状態の時に、本体１４の円弧状部分と本体２４の一部分が合致するようにしてある。
【００４８】
前述した図１４、図１５に示す薬剤放散用容器、図１６〜図１８に示す薬剤放散用容器の場合でも、前述したように第１・第２の薬剤４，５を取付けて使用できる。
また、前述の薬剤の取付け方、本体の形状、連結の仕方などは任意の組み合わせとすることができる。
【００４９】
前述の各実施の形態では、第１送風体１の本体１４にのみ電源室１６を設けたが、第１・第２送風体１，２の本体１４，２４にそれぞれ電源室を設けても良い。
【図面の簡単な説明】
【００５０】
【図１】本発明の薬剤放散用容器の第１の実施の形態を示す重ね合わせ状態の平面図である。
【図２】本発明の薬剤放散用容器の第１の実施の形態を示す重ね合わせ状態の断面図である。
【図３】本発明の薬剤放散用容器の第１の実施の形態を示す離隔状態の平面図である。
【図４】本発明の薬剤放散用容器の第１の実施の形態を示す離隔状態の断面図である。
【図５】本発明の薬剤放散用容器に薬剤を取付けた薬剤放散装置の断面図である。
【図６】本発明の薬剤放散用容器に薬剤を取付けた薬剤放散装置の断面図である。
【図７】本発明の薬剤放散用容器に薬剤を取付けた薬剤放散装置の断面図である。
【図８】本発明の薬剤放散用容器の第２の実施の形態を示す離隔状態の平面図である。
【図９】本発明の薬剤放散用容器の第２の実施の形態を示す離隔状態の断面図である。
【図１０】本発明の薬剤放散用容器の第３の実施の形態を示す離隔状態の平面図である。
【図１１】本発明の薬剤放散用容器の第３の実施の形態を示す離隔状態の断面図である。
【図１２】本発明の薬剤放散用容器の第４の実施の形態を示す離隔状態の平面図である。
【図１３】本発明の薬剤放散用容器の第５の実施の形態を示す離隔状態の平面図である。
【図１４】本発明の薬剤放散用容器の第６の実施の形態を示す離隔状態の平面図である。
【図１５】本発明の薬剤放散用容器の第６の実施の形態を示す離隔状態の断面図である。
【図１６】本発明の薬剤放散用容器の第７の実施の形態を示す離隔状態の平面図である。
【図１７】本発明の薬剤放散用容器の第７の実施の形態を示す離隔状態の断面図である。
【図１８】本発明の薬剤放散用容器の第７の実施の形態を示す重ね合わせ状態の断面図である。
【符号の説明】
【００５１】
１…第１送風体、２…第２送風体、３…連結手段、４…第１の薬剤、５…第２の薬剤、１０…吸込口、１１…吐出口、１２…薬剤取付部、１３…連結部、１４…本体、１５…送風機、２０…吸込口、２１…吐出口、２２…薬剤取付部、２３…連結部、２４…本体、２５…送風機。
【図１】
2009082115.tif 000003
【図２】
2009082115.tif 000004
【図３】
2009082115.tif 000005
【図４】
2009082115.tif 000006
【図５】
2009082115.tif 000007
【図６】
2009082115.tif 000008
【図７】
2009082115.tif 000009
【図８】
2009082115.tif 000010
【図９】
2009082115.tif 000011
【図１０】
2009082115.tif 000012
【図１１】
2009082115.tif 000013
【図１２】
2009082115.tif 000014
【図１３】
2009082115.tif 000015
【図１４】
2009082115.tif 000016
【図１５】
2009082115.tif 000017
【図１６】
2009082115.tif 000018
【図１７】
2009082115.tif 000019
【図１８】
2009082115.tif 000020